(57)【要約】【課題】  部品点数が少なく、構造も簡単であり、加工性、組付性に優れ、全体の厚みを薄くでき、外観もスマートな温室の換気装置を提供することである。【解決手段】  屋根面，側面又は妻面に設けた窓枠１と、窓枠１に対向して開閉自在に設けた換気窓２と、換気窓２の背部に設けたリンク機構３と、窓枠１の下方に設けられて上記リンク機構３を起倒させる駆動機構４とを備えている温室の換気装置Ａにおいて、リンク機構３が換気窓２の背部に回転自在に軸支した起倒自在なリンク１０，１１からなり、駆動機構４がモータ１３と、モータ１３に回転自在に連結させたねじ桿１４と、ねじ桿１４にスライド自在に挿入されて当該ねじ桿の回転運動が直線運動に変換されるスライダ１５とからなり、上記リンク１０，１１の端部を上記スライダ１５に回転自在に軸支させる。【選択図】        図１
2005245203.tif 000002
【特許請求の範囲】
【請求項１】
屋根面、側面又は妻面に設けた窓枠１と、窓枠１に対向して開閉自在に設けた換気窓２と、換気窓２の背部に設けたリンク機構３と、窓枠１の下方に設けられて上記リンク機構３を起倒させる駆動機構４とを備えている温室の換気装置Ａにおいて、リンク機構３が換気窓２の背部に回転自在に軸支した起倒自在なリンク１０，１１からなり、駆動機構４がモータ１３と、モータ１３に回転自在に連結させたねじ桿１４と、ねじ桿１４にスライド自在に挿入されて当該ねじ桿の回転運動が直線運動に変換されるスライダ１５とからなり、上記リンク１０，１１の端部を上記スライダ１５に回転自在に軸支させたことを特徴とする温室の換気装置。
【請求項２】
屋根面、側面又は妻面に設けた窓枠１と、窓枠１に対向して開閉自在に設けた換気窓２と、換気窓２の背部に設けたリンク機構３と、窓枠１の下方に設けられて上記リンク機構３を起倒させる駆動機構４とを備えている温室の換気装置Ａにおいて、リンク機構３が換気窓２の背部に回転自在に軸支した起倒自在なリンク１０，１１からなり、駆動機構４がモータ１３と、モータ１３に回転自在に連結させたねじ桿１４と、ねじ桿１４にスライド自在に挿入されて当該ねじ桿の回転運動が直線運動に変換されるスライダ１５とからなり、窓枠１に網５を展張させ、当該網５の途中に直接又は網支持フレーム９を介してガイドスリット６を設け、上記リンク１０，１１を当該ガイドスリット６内に移動自在に貫通させながら上記スライダ１５に回転自在に軸支させたことを特徴とする温室の換気装置。
【請求項３】
ねじ桿１４がパイプ１４aと、パイプ１４a内にスライド自在に挿入されて当該パイプ１４aと連動して回転するロッド２７と、パイプ１４aの端部とロッド２７の外端との間に介装したスプリング２８と、パイプ１４aの外周に螺旋状溝１４cを形成させながら巻き付けたワイヤ１４ｂとからなり、スライダ１５が筒体１５ａと、筒体１５ａを抱持する抱持パッカー１５ｂと、筒体１５ａに直径方向に挿入されて上記ワイヤ１４cの側面に移動自在に係合するガイドピン１６とで構成されている請求項１又は２の温室の換気装置。
【請求項４】
ロッド２７は外端にソケット１７を有し、モータ１３の出力軸の端部に形成した角形のインロー部１８をソケット１７に形成した角形の孔１７ａ内に着脱自在挿入させている請求項３の温室の換気装置。
【発明の詳細な説明】
【技術分野】
【０００１】
本発明は、ビニールハウス等の温室の屋根面、側面、又は妻面等に形成した温室の換気装置に関する。
【背景技術】
【０００２】
ビニールハウス等の温室内は、育成する植物に対して適温に設定する必要がありそのため、ハウスの屋根面、側面又は妻面に開口部に対向して開閉自在な換気窓を形成し、この換気窓の開閉によって温室内の空気を外気と換気させる換気装置が設けられている。
【０００３】
更に、上記開口部を開口した時この開口部から害虫が温室内に侵入するのを防止する防虫網を展張するのが普通である。
【０００４】
上記のような換気装置としては、例えば、特許文献１，特許文献２に開示されたようなものが開発されている。
【０００５】
特許文献１に示す換気装置は、開口部を構成する窓枠と、換気窓の背部に設けられて窓枠の枠体を貫通するプッシュロッドと、プッシュロッドの端部に設けられて当該プッシュロッドを伸縮駆動するエンドレスチェーン等からなる駆動機構とからなるものである。
【０００６】
この換気装置によれば、エンドレスチェーンの回転運動をプッシュロッドの直線運動に変換し、プッシュロッドを押し上げた時これに連動して換気窓が押し上げられて開口部を開き、プッシュロッドを引き下げた時換気窓が引張られて開口部を閉じるものである。
【０００７】
他方、特許文献２に示す換気装置は、開口部を構成する窓枠と、開口部に対向して上下方向に開閉自在に設けた換気窓と、換気窓に結合されながら開口部を介して下方に延びる起倒自在なリンク機構と、リンク機構を起倒させる駆動機構とからなるものである。
【０００８】
この換気装置によれば、駆動機構によりリンク機構を起立するとこれに連動して換気窓が垂直に押し上げられて開口部を開き、逆にリンク機構を倒すと換気窓が連動して垂直に下降し、開口部を閉じるものである。
【特許文献１】特許第３４５５７７１号公報（特許請求の範囲、図１）
【特許文献２】特開２０００-２８７５６１号公報（特許請求の範囲、図２）
【発明の開示】
【発明が解決しようとする課題】
【０００９】
上記の特許文献１，２に示す温室の換気装置は、機能上欠陥があるわけでは無いが、次のような不具合の改善が望まれている。
【００１０】
１）特許文献１に示す換気装置は、プッシュロッドが窓枠の枠体を貫通しているからこのプッシュロッドは開口部とは干渉せず、開口部に防虫網を展張することは可能である。
【００１１】
しかし、プッシュロッドが窓枠の枠体を貫通しているため、この枠体自体の強度が弱まる不具合がある。
【００１２】
又、長いプッシュロッドやエンドレスチェーン等の部品点数が多く、構造が複雑化し、重量が重くなり、組付性，経済性において不利となり、部品が嵩張るため搬送，格納において不利である。
【００１３】
更に、プッシュロッドが換気窓から温室内に向かって長く延びているから、換気窓と駆動機構との巾が大きくなり、スペース的に不利であり、外観も好ましくない。
【００１４】
２）他方、特許文献２に示す換気装置は、上記特許文献１の場合と同じく、部品点数が多く、構造が複雑化し、重量が重くなり、組付性，経済性において不利となるばかりでなく、部品が嵩張るため搬送，格納において不利である。
【００１５】
更に、換気窓に連結しているリンク機構が直接開口部を通過して温室内に延びているから、このリンク機構が開口部と干渉し、この開口部に防虫網を展張できない。
【００１６】
防虫網を展張しないと外部から害虫が侵入し、植物を喰いあらし、商品価値が無くなるため、別に消毒作業が必要となるばかりか、消費者にきらわれる原因となる。
【００１７】
そこで、防虫網を展張する場合にはどうしても下方のリンク機構や駆動機構を包み込むようにこれらの機構の下方に防虫網を展張しているが、この場合には、リンク機構や駆動機構を作動している時に防虫網が引掛り、この防虫網が破損するおそれがあり、又、防虫網を上記のように展張するとこれが下方にたるみ、外観上も好ましく無い。
【００１８】
そこで、本発明の目的は、部品点数が少なく、構造も簡単であり、加工性、組付性に優れ、全体の厚みを薄くでき、外観もスマートな温室の換気装置を提供することである。
【課題を解決するための手段】
【００１９】
上記の目的を達成するため、本発明の温室の換気装置は、屋根面、側面又は妻面に設けた窓枠と、窓枠に対向して開閉自在に設けた換気窓と、換気窓の背部に設けたリンク機構と、窓枠の下方に設けられて上記リンク機構を起倒させる駆動機構とを備えている温室の換気装置において、リンク機構が換気窓の背部に回転自在に軸支した起倒自在なリンクからなり、駆動機構がモータと、モータに回転自在に連結させたねじ桿と、ねじ桿にスライド自在に挿入されて当該ねじ桿の回転運動が直線運動に変換されるスライダとからなり、上記リンクの端部を上記スライダに回転自在に軸支させたことを特徴とする。
【００２０】
同じく、他の手段は、屋根面、側面又は妻面に設けた窓枠と、窓枠に対向して開閉自在に設けた換気窓と、換気窓の背部に設けたリンク機構と、窓枠の下方に設けられて上記リンク機構を起倒させる駆動機構とを備えている温室の換気装置において、リンク機構が換気窓の背部に回転自在に軸支した起倒自在なリンクからなり、駆動機構がモータと、モータに回転自在に連結させたねじ桿と、ねじ桿にスライド自在に挿入されて当該ねじ桿の回転運動が直線運動に変換されるスライダとからなり、窓枠に網を展張させ、当該網の途中に直接又は網支持フレームを介してガイドスリットを設け、上記リンクを当該ガイドスリット内に移動自在に貫通させながら上記スライダに回転自在に軸支させたことを特徴とする。
【００２１】
この場合、ねじ桿がパイプと、パイプ内にスライド自在に挿入されて当該パイプと連動して回転するロッドと、パイプの端部とロッドの外端との間に介装したスプリングと、パイプの外周に螺旋状溝を形成させながら巻き付けたワイヤとからなり、スライダが筒体と、筒体を抱持する抱持パッカーと、筒体に直径方向に挿入されて上記ワイヤの側面に移動自在に係合するガイドピンとで構成されているのが好ましい。
【００２２】
同じく、ロッドは、外端にソケットを有し、モータの出力軸の端部に形成した角形のインロー部をソケットに形成した角形の孔内に着脱自在挿入させているのが好ましい。
【発明の効果】
【００２３】
本発明によれば、次の効果がある。
【００２４】
１）各請求項の発明によれば、駆動機構がモータと、モータに回転自在に連結させたねじ桿と、ねじ桿にスライド自在に挿入されて当該ねじ桿の回転運動が直線運動に変換されるスライダとからなるだけであるから、部品手数が少なく、構造が簡単であり、加工性，組付性に優れ、部品が嵩張らず、搬送，格納が便利である。
【００２５】
２）同じく、リンクが起倒自在であり、駆動機構は窓枠の下方に近接して配置可能であるので、換気窓と駆動機構との間の距離を短くできるので、組付けた時換気装置全体の厚みを薄くでき、スペース的に有利で、屋根の低い温室にも簡単に設置でき、外観もスマートになる、
３）請求項２の発明によれば、換気窓と駆動機構とを連結するリンク機構の基端部がガイドスリット内を移動するようにしたから、リンク機構が防虫用の網と干渉するのが防止される。従って防虫用の網を直接窓枠に展張でき、従来のようにリンク機構や駆動機構を抱き込むようにして網を展張する必要が無く、外観がスマートとなり、駆動機構の作動中に網が破損するのを防止できる。
【００２６】
４）請求項３の発明によれば、パイプにワイヤを巻き付けているので、ねじ桿のねじ溝の形成が容易であり、加工性が向上し、経済性にすぐれている。又スライダに設けたガイドピンがワイヤと係止し、ワイヤの送り出しでガイドピンを介してスライダをパイプに沿って移動できるのでスライダの移動がスムースに行なえる。
【００２７】
５）請求項４の発明によれば、ねじ桿のロッドがソケット１７を介してモータと着脱できるので、モータの故障時にはロッドを抜き出すことがで、これにより手動で駆動機構を操作して換気窓を開閉することができる。
【発明を実施するための最良の形態】
【００２８】
以下、本発明の実施の形態を図にもとづいて説明する。
【００２９】
本発明の温室の換気装置Ａは、図２に示すように、温室たるビニールハウスＢの屋根面，側面又は妻面の一ケ所又は複数ケ所に設けられ、換気装置Ａを開閉することにより外気と温室内の空気とを換気して植物の育成に適する室温に設定している。
【００３０】
換気装置Ａは、開口部Ｃを開閉する換気窓２を備え、図示のように換気窓２を押し上げた時開口部Ｃが開き、この開口部Ｃを通じて換気する。
【００３１】
開口部Ｃには図１の実施の形態に示すように防虫用の網５が展張され、外部の害虫が温室内に侵入するのを防止するようにしてもよく、図８の実施の形態に示すように防虫用の網を設けなくても良い。
【００３２】
以下更に詳しく説明する。
【００３３】
防虫用の網５を設けた換気装置Ａが図１に示されているが、これは、温室の屋根面，側面又は妻面に設けた窓枠１と、窓枠１に対向して開閉自在に設けた換気窓２と、換気窓２の背部に設けたリンク機構３と、窓枠１の背部に設けられて上記リンク機構３を起倒させる駆動機構４とを備えている。
【００３４】
更に、窓枠１に防虫用の網５を展張させ、当該網５の途中にガイドスリット６を設け、上記リンク機構３の基端部を当該ガイドスリット６内に移動自在に貫通させている。
【００３５】
即ち、窓枠１の中央に短手方向に沿って左右一対の蟻溝７，８を備えた網支持フレーム９を架設し、当該網支持フレーム９の中央に長手方向に沿うガイドスリット６を形成している。
【００３６】
図１，図３に示すように蟻溝フレーム７，８には係止線条２０を介して網５の端部が定着されており、換気窓２は、矩形の枠体２ａと枠体２ａに展張した透明なシートＳとから構成されている。
【００３７】
窓枠１は、図１に示すように蟻溝フレームａ,ｂ,ｃ,ｄに係止線条２０を介して網５が定着されており、窓枠１の外周は、シート定着用の蟻溝フレーム２１で保持され、フレーム２１の中央には図６に示すように取付フレーム２２、２２aが垂設されている。
【００３８】
リンク機構３は、換気窓２の背部に支持フレーム１９を介して回転自在に軸支した二又状の二本の起倒自在なリンク１０,１１と、リンク１０,１１の基端に結合したブラケット１２とから構成されている。
【００３９】
支持フレーム１９にはブラケットＱを設け、このブラケットＱにピンＰを介してリンク１０,１１が軸支されている。
【００４０】
駆動機構４は、窓枠１の下方に配置され、これは減速機構を備えたモータ１３と、モータ１３に回転自在に連結させたねじ桿１４と、ねじ桿１４にスライド自在に挿入されて当該ねじ桿の回転運動が直線運動に変換されるスライダ１５とからなり、上記ブラケット１２をスライダ１５に回転自在に軸支させている。
【００４１】
モータ１３は、フレーム２１に固定され、ねじ桿１４の両端は取付フレーム２２、２２ａに支持させている（図１，図６）。
【００４２】
上記のように、網支持フレーム９の中央にガイドスリット６が形成されており、リンク機構３におけるブラケット１２がガイドスリット６内に移動自在に挿入されている。
【００４３】
図３，図６に示すように、当該ブラケット１２には正面側端部に側面Ｌ字状の係止面１２ａを形成し、ブラケット１２がガイドスリット６の終端６ａに当接した時当該終端６ａを支点にして係止面１２ａを介してブラケット１２が矢印Ｘ方向に回転するようにしている。
【００４４】
ねじ桿１４は、図３，図４および図５に示すように、パイプ１４aと、パイプ１４a内にスライド自在に挿入されて当該パイプ１４aと連動して回転するロッド２７と、パイプ１４aの端部とロッド２７の外端との間に介装したスプリング２８と、パイプ１４aの外周に螺旋状溝１４cを形成させながら巻き付けたワイヤ１４ｂとからなっている。
【００４５】
スライダ１５は、筒体１５ａと、筒体１５ａを抱持する抱持パッカー１５ｂと、筒体１５ａに直径方向に挿入されて上記ワイヤ１４ｂの側面に移動自在に係合するガイドピン１６とで構成されている。
【００４６】
図３，図４に示すように、抱持パッカー１５ｂには支持板２３とボルト２４とを介してリンク機構３のブラケット１２が固定されている。
【００４７】
ロッド２７は、外端にソケット１７を有し、モータ１３の出力軸の端部に形成した角形のインロー部１８をソケット１７に形成した角形の孔１７ａ内に着脱自在挿入させている。
【００４８】
パイプ１４aの他端側（図４中左側）にはロッド２７の先端２７ａが突出しており、この先端２７ａの外端にはボルト３１を介してアイ３２が取付けられており、このアイ３２は、パイプ１４ａの端部の溝１４ｄに抜き差し自在に嵌合している。
【００４９】
アイ３２には地上から延びる支柱３３に設けたフック３４が引掛けられるようになっている。
【００５０】
通常、ねじ桿１４のロッド２７は、ソケット１７を介してモータ１３の出力軸側に連結されているが、モータ１３が故障したような場合には、支柱３３とフック３４を介してスプリング２８に抗してロッド２７を下方に引張り、ロッド２７の基端をインロー部１８の孔１７ａから抜き取るようにしている。
【００５１】
この場合には支柱３３よりアイ３２を介してねじ桿１４を手動で回転し、手動で換気窓２を開閉する。
【００５２】
ねじ桿１４，モータ１３等からなる駆動機構４は、窓枠１の開口部に近接した下方位置に設けられており、又、リンク機構３のリンク１０,１１を出来るだけで偏平に折り畳むことにより駆動機構４と換気窓２との間の距離たる巾を小さくすることにより換気装置全体の厚みを薄くするようにしている。
【００５３】
次に、換気窓２の開閉動作について説明する。
【００５４】
図６，図７に示すように、例えば、モータ１３を時計方向に回転するとスライダ１５が図において左行（下降）し、反時計方向に回転するとスライダ１５が右行（上昇）し、これにより換気窓２が矢印Ｔに沿って上下動して窓枠１における開口部を開閉する。
【００５５】
即ち、図６の実線位置の全閉状態から、モータ１３を介してねじ桿１４を時計方向に回転させると、ワイヤ１４ｂが順次スライダ１５に設けたガイドピン１６を図中右方向に押し込み、これによりスライダ１６を直線運動に変換して右行させる。
【００５６】
この為、スライダ１５の駆動に伴なってリンク機構３のブラケット１２を反時計方向に回転させながら右行させ、且つブラケット１２の回転に伴ってリンク１０,１１が実線位置から点線位置に順次立ち上がり、支持フレーム１９,１９と共に換気窓２を上方に押し上げ、開口部を開く。
【００５７】
上記の全開の状態から、逆にモータ１３を反時計方向に回転してねじ桿１４を反時計方向に回転すると、上記と逆にワイヤ１４ｂがガイドピン１６を左方向に押し込み、スライダ１５を時計方向に回動させながら左行させ、ガイドスリット６の終端まで移動させ、この時換気窓２はリンク機構３の折り畳みに伴なって全開位置まで下降する。
【００５８】
この際、スライダ１２の係止面１２ａがガイドスリット６の終端６ａに係合するが、更にこの状態でモータ１３を回転してスライダ１５を強制的に矢印Ｙに沿って左方向に押し込むと、ブラケット１２がボルト２４を支点にして矢印Ｘに沿って時計方向に回動し、これによりリンク１０,１１を内側に引き込む。これにより換気窓２の枠体２ａを強制的に窓枠１のフレームａ,ｂ，ｃ，ｄに押し付け、両者の間の隙間を無くし、外気の侵入をより効果的に防止する。
【００５９】
上記の作動において、リンク機構３のブラケット１２は、ガイドスリット６内をスライドし、防虫用の網５と干渉するのが防止され、しかも、この網５は、換気装置Ａのいずれの部材とも接触せず、換気装置Ａの作動中において網５が損傷するのが防止される。
【００６０】
次に、防虫網を設けない換気装置の他の実施の形態を図８，図９に基づいて説明する。
【００６１】
この換気装置は、屋根面，側面又は妻面に設けた窓枠１と、窓枠１に対向して開閉自在に設けた換気窓２と、換気窓２の背部に設けたリンク機構３と、窓枠１の下方に設けられて上記リンク機構３を起倒させる駆動機構４とを備えている。
【００６２】
そして、リンク機構３が換気窓２の背部に回転自在に軸支した起倒自在なリンク１０，１１からなり、駆動機構４がモータ１３と、モータ１３に回転自在に連結させたねじ桿１４と、ねじ桿１４にスライド自在に挿入されて当該ねじ桿１４の回転運動が直線運動に変換されるスライダ１５とからなり、上記リンク１０，１１の端部を上記スライダ１５にピンＰ２を介して回転自在に軸支させている。
【００６３】
図１の実施の形態と同じく、窓枠１の外周は、シート定着用の蟻溝フレーム２１で保持されており、フレーム２１の中央には取付フレーム２２，２２ａが垂設され、これらの取付フレーム２２，２２ａねじ桿１４が架設されている。
【００６４】
リンク機構３は、換気窓２の背部に支持フレーム１９を介して回転自在に軸支した二又状の二本の起倒自在なリンク１０,１１からなっている。支持フレーム１９にはブラケットＱを設け、このブラケットＱにピンＰを介してリンク１０,１１が軸支されている。
【００６５】
駆動機構４は、窓枠１の下方のガイドケースＫ内に配置され、これは減速機構を備えたモータ１３と、モータ１３に回転自在に連結させたねじ桿１４と、ねじ桿１４にスライド自在に挿入されて当該ねじ桿の回転運動が直線運動に変換されるスライダ１５とからなり、上記リンク１０，１１の下端部をピンＰ２を介して直接スライダ１５に回転自在に軸支させている。
【００６６】
ねじ桿１４は、上記したように、パイプ１４aと、パイプ１４a内にスライド自在に挿入されて当該パイプ１４aと連動して回転するロッド２７と、パイプ１４aの端部とロッド２７の外端との間に介装したスプリング２８と、パイプ１４aの外周に螺旋状溝１４cを形成させながら巻き付けたワイヤ１４ｂとからなっている。
【００６７】
同じく、スライダ１５は、筒体１５ａと、筒体１５ａを抱持する抱持パッカー１５ｂと、筒体１５ａに直径方向に挿入されて上記ワイヤ１４cの側面に移動自在に係合するガイドピン１６とで構成されている。
【００６８】
図９に示すように、例えば、モータ１３を時計方向に回転するとスライダ１５が図において左行（下降）し、反時計方向に回転するとスライダ１５が右行（上昇）し、スライダ１５の動きに連動してリンク１０，１１が起倒し、これにより換気窓２が矢印Ｔに沿って上下動して窓枠１における開口部を開閉する。
【００６９】
その他の構造，作用効果は、上記図１の実施の形態の場合と同じである。
【図面の簡単な説明】
【００７０】
【図１】本発明の一実施の形態に係る換気装置の斜視図である。
【図２】本発明の換気装置を取付けたビニールハウスの略示斜視図である。
【図３】リンク機構とガイドスリットとの取付状態を示す一部切欠き斜視図である。
【図４】駆動機構の分解斜視図である。
【図５】ロッドとスライダの拡大断面図である。
【図６】換気窓の開閉状態を示す拡大縦断側面図である。
【図７】図６の一部拡大側面図である。
【図８】本発明の他の実施形態に係る換気装置の斜視図である。
【図９】図８の一部拡大縦断側面図である。
【符号の説明】
【００７１】
１  窓枠
２  換気窓
３  リンク機構
４  駆動機構
５  網
６  ガイドスリット
６ａ  終端
９  網支持フレーム
１０，１１  リンク
１２  ブラケット
１２ａ  係止面
１３  モータ
1４  ねじ桿
１４ａ  パイプ
１４ｂ  ワイヤ
１４ｃ  螺旋状溝
１５  スライダ
１５a  筒体
１６  ガイドピン
１７  ソケット
１７ａ  孔
２７  ロッド
２８  スプリング
Ａ  換気装置
【図１】
2005245203.tif 000003
【図２】
2005245203.tif 000004
【図３】
2005245203.tif 000005
【図４】
2005245203.tif 000006
【図５】
2005245203.tif 000007
【図６】
2005245203.tif 000008
【図７】
2005245203.tif 000009
【図８】
2005245203.tif 000010
【図９】
2005245203.tif 000011
【手続補正書】
【提出日】平成16年3月17日(2004.3.17)
【手続補正１】
【補正対象書類名】明細書
【補正対象項目名】００２７
【補正方法】変更
【補正の内容】
【００２７】
５）請求項４の発明によれば、ねじ桿のロッドがソケット１７を介してモータと着脱できるので、モータの故障時にはロッドを抜き出すことができ、これにより手動で駆動機構を操作して換気窓を開閉することができる。